(57)【要約】【課題】気化ガスに含まれる高沸点成分がノズルに流入することを防止して、タールによるノズル詰まりのない気化装置を提供すること。【解決手段】高沸点成分を捕集する気化フィルタ１４３を保持部材１４４に収容した状態で気化容器１４内に配置し、この保持部材１４４により気化ガス流路が形成されるように構成した。気化容器１４内で発生した気化ガスは、この気化ガス流路に沿って空間部１４６から気化フィルタ１４３を通って気化ガス流入口２３に向かいノズル部２０から噴出されるが、空間部１４６と気化フィルタ１４３を通過する間に高沸点成分が除去されるので、高沸点成分がノズル部２０に流入することが防止される。さらに、気化ガス流路の形成と気化フィルタ１４３の保持を一つの部品で実現するため、気化装置を簡単に構成することができる。【選択図】図３
2016084945.tif 000002
【特許請求の範囲】
【請求項１】
液体燃料を加熱し気化ガスとする気化容器と、この気化ガスを噴出するノズル部を備え、前記ノズル部は前記気化容器を貫通して配置されるとともに気化ガスが流入する気化ガス流入口を備えた気化装置であって、前記気化容器内に多孔質部材からなる気化フィルタと、この気化フィルタを所定位置に保持する保持部材と、空間部とを備え、前記保持部材により気化ガスが前記空間部から前記気化フィルタを通って前記気化ガス流入口に向かう気化ガス流路が形成されることを特徴とする気化装置。
【請求項２】
前記保持部材は開口面を備えた有底形状をなし、前記ノズル部は前記気化ガス流入口が前記保持部材底面に対向するよう保持部材を貫通して配置されることを特徴とする請求項１記載の気化装置。
【請求項３】
前記保持部材は開口面を上に向けて配置されることを特徴とする請求項２記載の気化装置。
【請求項４】
気化容器底部に配置される第一気化フィルタと、前記保持部材に保持される第二気化フィルタを備え、気化容器内に空間部を形成するよう第一気化フィルタの上方に第二気化フィルタが配置されることを特徴とする請求項１から３のいずれかに記載の気化装置。
【発明の詳細な説明】
【技術分野】
【０００１】
本発明は、灯油等の液体燃料を加熱気化して気化ガスを生成する気化装置に関するものである。
【背景技術】
【０００２】
従来、この種の気化装置として特許文献１に示すようなものがある。特許文献１の気化装置は、液体燃料を加熱気化する気化室と、気化室で気化した気化ガスを燃焼部に向けて噴出するノズルとを備えており、気化室内にノズルを貫通させて配置するとともに、ノズルには気化室と連通する連通口が設けられている。
【０００３】
また、気化室には液体燃料の供給口が設けられていて、この供給口から気化室に供給された液体燃料は高温の気化室壁に接触することで順次気化し気化ガスとなってノズルから噴出する。このように液体燃料が気化する過程において、気化室内には未気化の液体燃料と気化ガスとが混在しており、気化ガスは比重が軽いため気化室の上部に滞留している。そのため、気化室とノズルとの連通口を気化室の上部に開口するように配置することで、気化室上部に滞留する気化ガスのみをノズル内に流入させるようになっている。
【先行技術文献】
【特許文献】
【０００４】
【特許文献１】特開２０１４−７４５５１号公報
【発明の概要】
【発明が解決しようとする課題】
【０００５】
灯油等の液体燃料は、保管状態が悪く空気に長時間触れたり、紫外線の影響を受けたりすると酸化していわゆる変質灯油となり高沸点成分が増加する。この高沸点成分は、気化室内で気化しきれずにタールとして気化室内に堆積したり、また一部は気化ガスの中に混じってノズル内に流入することもある。気化ガスはノズル内では高温に保たれているが、ノズルから噴出されると一気に冷たい大気中に拡散するため温度が低下する。すると、気化ガス中に混入していた高沸点成分は、ノズルから噴出する際に凝固してノズル周辺にタールとして付着し、ノズル詰まりの原因となってしまう。
【０００６】
本発明は、上記課題を解決するためのもので、液体燃料に含まれる高沸点成分がノズルに流入することを防止して、タールによるノズル詰まりのない気化装置を提供することを目的とする。
【課題を解決するための手段】
【０００７】
本発明は、液体燃料を加熱し気化ガスとする気化容器と、この気化ガスを噴出するノズル部を備え、前記ノズル部は前記気化容器を貫通して配置されるとともに気化ガスが流入する気化ガス流入口を備えた気化装置であって、前記気化容器内に多孔質部材からなる気化フィルタと、この気化フィルタを所定位置に保持する保持部材と、空間部とを備え、前記保持部材により気化ガスが前記空間部から前記気化フィルタを通って前記気化ガス流入口に向かう気化ガス流路が形成されることを特徴とする気化装置である。
【０００８】
また、前記保持部材は開口面を備えた有底形状をなし、前記ノズル部は前記気化ガス流入口が前記保持部材底面に対向するよう保持部材を貫通して配置されることを特徴とする請求項１記載の気化装置である。
【０００９】
また、前記保持部材は開口面を上に向けて配置されることを特徴とする請求項２記載の気化装置である。
【００１０】
また、気化容器底部に配置される第一気化フィルタと、前記保持部材に保持される第二気化フィルタを備え、気化容器内に空間部を形成するよう第一気化フィルタの上方に第二気化フィルタが配置されることを特徴とする請求項１から３のいずれかに記載の気化装置である。
【発明の効果】
【００１１】
上述のように構成することにより、液体燃料中に含まれる高沸点成分がノズルに流入することが防止されるので、タールによるノズル詰まりを防止して気化装置の長寿命化を図ることができる。
【図面の簡単な説明】
【００１２】
【図１】本発明の気化装置の外観図である。
【図２】本発明の気化装置の断面図である。
【図３】本発明の実施例１における気化容器の正面断面図である。
【図４】本発明の実施例２における気化容器の正面断面図である。
【図５】本発明の実施例３における気化容器の正面断面図である。
【図６】本発明の実施例４における気化容器の正面断面図である。
【発明を実施するための形態】
【００１３】
好適と考える本発明の実施形態を、本発明の作用効果を示して簡単に説明する。
【００１４】
本発明は、液体燃料を気化する気化容器と、この気化容器を貫通して配置され気化ガスが流入する気化ガス流入口が設けられたノズル部を備えた気化装置であって、気化容器内で発生した気化ガスは、空間部から気化フィルタを通って気化ガス流入口に向かう気化ガス流路を流れるようになっている。
【００１５】
気化ガス中に含まれる高沸点成分は、気化ガス流路を通過する間に空間部および気化フィルタで除去されるため、高沸点成分がノズルに流入することを防止して、タールによるノズル詰まりを抑制することができる。なお、気化フィルタの上流である空間部には多くのタールを堆積させることができるので、気化フィルタに捕集されるタール量が少なくなり、気化フィルタの目詰まりが軽減されるため気化装置の長寿命化を図ることが可能となる。さらに、気化ガス流路を形成する部材を用いて気化フィルタを保持するようになっているため、気化ガス流路の形成と気化フィルタの保持の両方を一つの部品で実現することができ、気化装置を簡単に構成することができる。
【００１６】
また、気化フィルタはケース状の保持部材に収容されるため、気化装置の組立が容易となり、そして、保持部材の底面に対向して気化ガス流入口を設けることで気化フィルタの全体に気化ガスを通過させることになるので、気化フィルタの全体でタールを捕集することができ、タールの捕集効率を上げることができる。
【００１７】
また、気化ガスは比重が軽く気化容器の上方に滞留するため、保持部材の開口部を上に向けることで、気化容器の底部で気化した気化ガスはこの開口面に向かって空間部を均等に通過することとなる。これにより、空間部全体にタールが堆積されるので空間部の容積を有効に利用することができる。
【００１８】
また、気化容器底部には第一気化フィルタを配置し、この第一気化フィルタの上方に空間部を設けて第二気化フィルタを配置することで、液体燃料は第一気化フィルタに接触して表面積が大きくなるため、効率よく液体燃料を気化させて気化ガスを発生させることができる。さらに、気化ガス中に含まれる高沸点成分は空間部にタールとして堆積するので、第二気化フィルタに捕集されるタール量を少なくし、第二気化フィルタの目詰まりを軽減させることができる。
【実施例１】
【００１９】
以下本発明の一実施例としての気化装置を図面により説明する。
【００２０】
図１は気化装置の外観図、図２は気化装置の断面図である。気化装置１は、液体燃料を気化して気化ガスとする気化部１０と、気化部１０で生成された気化ガスを噴出するノズル部２０と、ノズル部２０を開閉させるプランジャー部３０とから構成されている。
【００２１】
気化部１０は、図示しないバーナで形成される火炎の燃焼熱を回収する熱回収部１１と、通電することで発熱するヒータ１２と、ヒータ１２と密着するヒータ設置面１３１が形成されてヒータ１２が発する熱を受けるヒータ受熱部１３と、液体燃料が供給される気化容器１４を備えている。
【００２２】
このように気化装置１が熱回収部１１を備えることにより、燃焼開始時にはヒータ１２が発する熱により気化装置１を加熱し、燃焼が開始してバーナで火炎が形成された後は熱回収部１１が回収した燃焼熱により気化装置１が加熱される。気化装置１が加熱されることで気化容器１４が高温となり、気化容器１４に供給された液体燃料は加熱されて気化し気化ガスとなる。
【００２３】
そして、熱回収部１１と、ヒータ受熱部１３は押出加工により一体に成形されて気化ヘッド１６を構成しており、気化ヘッド１６の幅方向を押出方向として金型から押し出すことで気化ヘッド１６が成形される。このように構成することで、溶接の手間を低減し、また押し出す長さを変えることによって気化能力を変更することができるため、１つの押出金型で気化能力の異なる気化装置１の気化ヘッド１６を製造することが可能である。
【００２４】
ヒータ１２は、アルミナや窒化ケイ素などの材料からなる平板状のセラミックヒータを用い、ヒータ押さえ金具１２１によりヒータ設置面１３１に密着固定されている。セラミックヒータは、ワット密度が高く熱容量が小さいため熱効率がよく、また形状を平板状とすることでヒータ設置面１３１との接触面積が増えるので、気化装置１を素早く昇温させることができる。
【００２５】
気化容器１４は上面が開口した略箱型形状の容器であり、この開口端面を気化ヘッド１６のヒータ受熱部１３の底部に接合して気化部１０が構成される。その際、気化ヘッド１６の底面に形成された張出部１６１が気化容器１４に嵌合するため、位置ズレをおこすことがなく接合作業を容易に行うことができる。
【００２６】
また気化容器１４には、送油パイプ４が接続されていて、この送油パイプ４は電磁ポンプ３を介して油受皿２に繋がっており、電磁ポンプ３を駆動することで送油パイプ４を通して油受皿２に貯められた液体燃料が気化容器１４に供給される。そして、気化容器１４の前面と背面にはノズル部２０が貫通する貫通孔１４１、１４２が形成されている。
【００２７】
ノズル部２０は、後端がプランジャー部３０に接続されるとともに先端に噴出口２２が形成された筒状のノズルパイプ２１から構成され、気化容器１４に設けられた貫通孔１４１、１４２を貫通して配置されている。
【００２８】
図３は気化容器１４の正面断面図であって、気化容器１４内には、多孔質部材からなる気化フィルタ１４３と、この気化フィルタ１４３を収容する保持部材であるフィルタケース１４４が設けられており、ノズルパイプ２１はこのフィルタケース１４４を貫通して配置されている。また、気化容器１４の壁面には、気化容器１４の温度を検知するサーミスタ１７、送油パイプ４と接続され燃料を気化容器１４内に供給する燃料吐出口１８が取り付けられている。
【００２９】
気化フィルタ１４３は、気化ガス中に含まれる高沸点成分を捕集する捕集フィルタとしての役割を持つものである。そしてフィルタケース１４４は、両端が開放した筒状の容器であり、内部に気化フィルタ１４３を収容して気化フィルタ１４３を気化容器１４内の所定位置に保持している。
【００３０】
フィルタケース１４４の周囲には空間部１４６が形成されていて、この空間部１４６で液体燃料に含まれる気化しきれない高沸点成分をタールとして堆積させる。液体燃料中には少なからず高沸点成分が含まれており、この高沸点成分によって気化フィルタ１４３が目詰まりを起こすと、ノズル部２０から噴出される気化ガス量が減少し、気化フィルタが完全に詰まってしまうと燃焼を継続することができなくなってしまうが、空間部１４６にタールを堆積させることで気化フィルタ１４３に捕集されるタール量が少なくなるため、気化フィルタ１４３の目詰まりが軽減される。
【００３１】
そして、このフィルタケース１４４を貫通するノズルパイプ２１には、フィルタケース１４４の内壁に対向する位置に気化ガス流入口２３が形成されており、気化ガスは気化ガス流入口２３からノズルパイプ２１内に流入し、噴出口２２より図示しないバーナに向けて噴出される。なお、図では気化ガス流入口２３は下向きに設けられているが、上向きに設けてもよい。
【００３２】
つまり、気化容器１４に供給された液体燃料が気化ガスとなって噴出口２２から噴出するまでには、まず気化容器１４の内面に接触して気化し、その後空間部１４６を通って筒状のフィルタケース１４４の両端面からフィルタケース１４４内に流入し、気化フィルタ１４３を通過する間に高沸点成分が除去され、気化ガス流入口２３からノズルパイプ２１内に流入するという流路を通過するようになっている。そして、この流路は気化容器１４内に設けられたフィルタケース１４４によって形成されている。
【００３３】
プランジャー部３０は、円筒部３１１と小径部３１２が深絞り加工により一体に形成された筒体３１と、ソレノイドコイル３２を備え、ソレノイドコイル３２の内部に筒体３１を貫通して構成される。また、この筒体３１の円筒部３１１には、後端に固定された固定片３４と、内部を摺動自在な可動片３３と、固定片３４と可動片３３の間に介在するスプリング３５が設けられていて、ソレノイドコイル３２は通電されることで磁気力を発生し、この磁気力により可動片３３を吸引する。
【００３４】
固定片３４には小空間であるニゲ部３６が形成され、このニゲ部３６を通じて気化容器１４やノズルパイプ２１内に残留した気化ガスを油受皿２に戻すためのニゲパイプ５が接続されている。
【００３５】
可動片３３は、内部に固定片３４のニゲ部３６を閉塞するプランジャー弁３７が挿入固定されるとともに、ノズルパイプ２１側に向けてバルブロッド３８が取り付けられており、このバルブロッド３８は先細り形状をなしていてその先端にはノズルパイプ２１の噴出口２２を開閉する弁針３８１が形成されている。また、可動片３３はスプリング３５の付勢力により常時ノズルパイプ２１側に押圧されていて、これにより弁針３８１が噴出口２２を閉塞した状態となっている。
【００３６】
次に、上述の構成における気化装置の動作について説明する。
【００３７】
燃焼開始が指示されると、ヒータ１２への通電が行われ、ヒータ１２の発する熱はヒータ受熱部１３を介して伝熱され、気化容器１４の温度を上昇させる。気化容器１４の温度はサーミスタ１７により検知されており、気化容器１４が液体燃料を気化することのできる温度まで上昇すると電磁ポンプ３が始動して油受皿２内の液体燃料を汲み上げ、液体燃料は送油パイプ４を通過して燃料吐出口１８から気化容器１４内に供給される。
【００３８】
気化容器１４に供給された液体燃料は気化容器１４の内面に接触することで気化し、気化ガスとなる。気化容器１４の温度が液体燃料の沸点よりも高いと、供給された液体燃料はライデンフロスト現象により球状となって転がり、蒸発速度が遅くなってしまうが、気化容器１４の内面に筋状の凹凸を設けることで球状化と転がりが緩和され、効率よく液体燃料を気化させて気化ガスを発生させることができる。
【００３９】
気化容器１４内には、フィルタケース１４４によって気化ガスの流路が形成されているので、気化ガスはこの流路を通ってノズルパイプ２１に流入し、噴出口２２からバーナに向かって噴出される。具体的には、気化ガスは空間部１４６を通過して筒状のフィルタケース１４４の両端面からフィルタケース１４４内に流入し、そしてフィルタケース１４４内で気化フィルタ１４３を通過した後、気化ガス流入口２３からノズルパイプ２１内に流入するようになっている。
【００４０】
気化ガス中には少なからず高沸点成分が含まれているが、この高沸点成分の多くはまず空間部１４６に堆積し、その後気化フィルタ１４３を通過する際にフィルタの細孔に細かいタールも捕集されるので、ノズルパイプ２１に流入するまでの間に高沸点成分は殆ど除去されることになる。また、高沸点成分の多くは空間部１４６に堆積するので、気化フィルタ１４３に捕集されるタール量が少なくなり、気化フィルタの目詰まりが軽減されるため気化装置の寿命を長くすることができる。
【００４１】
また、ノズルパイプ２１は気化容器１４の熱により高温に維持されるので、ノズルパイプ２１に流入した気化ガスの温度を低下させないため、燃焼状態を良好に維持することができる。
【００４２】
そして、電磁ポンプ３の始動に相前後してソレノイドコイル３２に通電が行われ、ソレノイドコイル３２の磁気力により可動片３３が吸引されて固定片３４側に摺動する。可動片３３が摺動することでバルブロッド３８も固定片３４側に移動するため、バルブロッド３８の先端に設けられた弁針３８１が噴出口２２から離脱し、さらにプランジャー弁３７が固定片３４のニゲ部３６を閉塞するため、ノズルパイプ２１内に流入した気化ガスは噴出口２２よりバーナに向けて噴出される。
【００４３】
バーナで火炎が形成されると、熱回収部１１は火炎に晒されて燃焼熱を回収するので、熱回収部１１が火炎から回収した燃焼熱は、ヒータ受熱部１３を介して気化容器１４へ伝熱し、気化容器１４を加熱するようになる。
【００４４】
気化容器１４の温度は常時サーミスタ１７により検知されており、気化容器１４の温度が液体燃料の気化に適した温度となるようヒータ１２への通電が制御され、熱回収部１１が回収した熱により気化容器１４が十分に加熱される状態であれば、ヒータ１２への通電を停止する。これにより、燃焼中の消費電力を低減させることができる。
【００４５】
そして、燃焼停止の指示があると、ヒータ１２及び電磁ポンプ３への通電を停止させると同時にソレノイドコイル３２への通電を停止する。ソレノイドコイル３２への通電が停止されると、可動片３３はスプリング３５の付勢力によってノズルパイプ２１側に摺動して押圧されるので、バルブロッド３８も噴出口２２側へ移動して先端の弁針３８１が噴出口２２を閉塞するため、気化容器１４に残った気化ガスが噴出口２２から漏れ出すことが防止される。また同時に、プランジャー弁３７によって閉塞されていたニゲ部３６が開放されるので、気化容器１４やノズルパイプ２１内に残留する気化ガスはニゲ部３６からニゲパイプ５を通って油受皿２に戻される。
【実施例２】
【００４６】
図４は本発明の実施例２における気化容器１４の正面断面図を示す。本実施例では、フィルタケース１４４が一面に開口面１４５を備えた略箱型形状の容器である点で実施例１と異なる。
【００４７】
フィルタケース１４４を貫通するノズルパイプ２１には、フィルタケース１４４の底面に対向する位置に気化ガス流入口２３が形成されている。これにより、気化フィルタ１４３の全体に気化ガスを通過させることになるので、気化フィルタ１４３の全体でタールを捕集することができ、タールの捕集効率を上げることができる。なお図では、気化フィルタ１４３はフィルタケース１４４内の一部のみに配置しており、気化ガス流入口２３は覆われていないが、気化ガス流入口２３を覆うようにフィルタケース１４４の全体に配置するようにしても構わない。
【００４８】
上述の構成において、気化容器１４に供給された液体燃料が気化ガスとなって噴出口２２から噴出するまでには、まず気化容器１４の内面に接触して気化し、その後空間部１４６を通ってフィルタケース１４４の開口面１４５からフィルタケース１４４内に流入し、気化フィルタ１４３を通過する間に高沸点成分が除去され、気化ガス流入口２３からノズルパイプ２１内に流入するという流路を通過するようになっている。
【実施例３】
【００４９】
図５は本発明の実施例３における気化容器１４の正面断面図を示す。本実施例では、フィルタケース１４４が上面に開口面１４５を備えた略箱型形状の容器である点で実施例２と異なる。
【００５０】
気化ガスは比重が軽いため、気化容器１４の上部に滞留する。フィルタケース１４４は上方に開口面１４５を備えているので、気化容器１４の内面に接触して発生した気化ガスはこの開口面１４５に向かって空間部１４６を均等に通過することとなり、空間部１４６の一部にだけタールが堆積してしまうことがない。よって、空間部１４６全体にタールを堆積させることができるので空間部１４６の容積を有効に利用することができる。
【実施例４】
【００５１】
図６は本発明の実施例４における気化容器１４の正面断面図を示す。なお、ここでは実施例１から３と異なる点について説明する。
【００５２】
気化容器１４内には、多孔質部材からなる第一気化フィルタ１４７および第二気化フィルタ１４８と、第二気化フィルタ１４８を収容するフィルタケース１４４が設けられていて、ノズルパイプ２１はこのフィルタケース１４４を貫通して配置されている。
【００５３】
第一気化フィルタ１４７は、気化容器１４の底部に配置されており、気化容器１４に供給された液体燃料の気化を促進するための気化促進素子としての役割を持つものである。一方、第二気化フィルタ１４８は、この第一気化フィルタ１４７の上方にフィルタケース１４４に収容された状態で配置され、主として第一気化フィルタ１４７で気化した気化ガス中に含まれる高沸点成分を捕集する捕集フィルタとしての役割を持つものである。そのため、第二気化フィルタ１４８は第一気化フィルタ１４７よりも孔径が小さく目の細かいものを用いることが望ましい。
【００５４】
フィルタケース１４４は、上方に開口面１４５を備えた略箱型形状の容器であり、内部に第二気化フィルタ１４８を収容して、第一気化フィルタ１４７との間に空間部１４６が形成されるように第二気化フィルタ１４８を保持している。
【００５５】
空間部１４６は、気化ガス中に含まれる高沸点成分を第二気化フィルタ１４８の手前でタールとして堆積させるために設けたものである。タールによって第二気化フィルタ１４８が目詰まりを起こすと、ノズル部２０から噴出される気化ガス量が減少し、第二気化フィルタが完全に詰まってしまうと燃焼を継続することができなくなってしまうが、空間部１４６にタールを堆積させることで第二気化フィルタ１４８に捕集されるタール量が少なくなるため、第二気化フィルタ１４８の目詰まりが軽減される。また、空間部１４６の容積は第二気化フィルタ１４８の孔の容積よりも大きく、多くのタールを堆積させることができる。
【００５６】
このように構成される気化装置では、気化容器１４に供給された液体燃料が気化ガスとなって噴出口２２から噴出するまでには、まず第一気化フィルタ１４７で気化され、その後空間部１４６を通ってフィルタケース１４４の開口面１４５からフィルタケース１４４内に流入し、第二気化フィルタ１４８を通過する間に高沸点成分が除去され、気化ガス流入口２３からノズルパイプ２１内に流入するという流路を通過するようになっている。そして、この流路は気化容器１４内に設けられたフィルタケース１４４によって形成されている。
【符号の説明】
【００５７】
１４    気化容器
２０    ノズル部
２３    気化ガス流入口
１４３  気化フィルタ
１４４  フィルタケース（保持部材）
１４５  開口面
１４６  空間部
１４７  第一気化フィルタ
１４８  第二気化フィルタ
【図１】
2016084945.tif 000003
【図２】
2016084945.tif 000004
【図３】
2016084945.tif 000005
【図４】
2016084945.tif 000006
【図５】
2016084945.tif 000007
【図６】
2016084945.tif 000008